(57)【要約】【課題】接続端子の保護キャップを有する電子機器であって、キャップを閉じた状態や、キャップを開いて接続端子を接続する状態では、キャップが外れてしまうことを防止する。また、キャップが壊れて取替えを行うときなどの保守用には、交換が容易な構造の電子機器を提供する。【解決手段】第２係合爪１０は、Ｔ字形状で、根元１０ａが細く、頂部１０ｂが横長の形状である。この頂部１０ｂの長手方向を、第２係合孔５の長孔の長手方向に合わせて奥まで挿入すると、根元１０ａ部分を中心にしてキャップ７は回転可能となる。そして、回転して、頂部１０ｂの長手方向と第２係合孔５の長孔の長手方向が直交する位置では、抜けない状態となる。この状態で、第１係合爪８を第１係合孔３に係合させ、第３係合爪１１を第３係合孔６に圧入させて取り付けが完了する。接続端子４に外部コネクタを接続する場合は、第１係合爪８を第１係合孔３から外す。【選択図】図１
2008198428.tif 000002
【特許請求の範囲】
【請求項１】
接続端子を保護するキャップと、当該キャップが取り付けられるキャップ取り付け部を有する電子機器であって、
前記キャップ取り付け部は、
第１の係止孔と、前記接続端子と、第２の係止孔と、第３の係止孔とがこの順序で配置され、
前記キャップは、
前記第２の係止孔に差し込んで前記第２の係止孔を中心にして当該キャップが回転可能であり、当該キャップが前記キャップ取り付け部に取り付けられて前記接続端子を保護する最終取り付け位置では前記第２の係止孔に係止され、最終取り付け位置から回転した位置では前記第２の係止孔から取り外すことができる第２の係止爪と、
前記最終取り付け位置で前記第１の係止孔と係止する第１の係止爪と、
前記最終取り付け位置で前記第３の係止孔と係止する第３の係止爪とを
具備することを特徴とする電子機器。
【請求項２】
接続端子を保護するキャップと、当該キャップが取り付けられるキャップ取り付け部を有する電子機器であって、
前記キャップ取り付け部は、
第１の係止孔と、前記接続端子と、第２の係止孔と、第３の係止孔とがこの順序で配置され、
前記キャップは、
前記第３の係止孔に差し込んで前記第３の係止孔を中心にして当該キャップが回転可能であり、当該キャップが前記キャップ取り付け部に取り付けられて前記接続端子を保護する最終取り付け位置では前記第３の係止孔に係止され、最終取り付け位置から回転した位置では前記第３の係止孔から取り外すことができる第３の係止爪と、
前記最終取り付け位置で前記第１の係止孔と係止する第１の係止爪と、
前記最終取り付け位置で前記第２の係止孔と係止する第２の係止爪とを
具備することを特徴とする電子機器。
【請求項３】
前記第３の係止孔と第３の係止爪との係止は、前記第１の係止孔と第１の係止爪との係止よりも結合状態が強い圧入であることを特徴とする請求項１に記載の電子機器。
【請求項４】
前記キャップは、弾性体であるか又は、前記最終取り付け位置において前記第２の係止孔と前記接続端子との間に位置する部分に肉薄部を有することを特徴とする請求項１又は２に記載の電子機器。
【請求項５】
第１接続端子と第２接続端子を保護するキャップと、当該キャップが取り付けられるキャップ取り付け部を有する電子機器であって、
前記キャップ取り付け部は、
第１の係止孔と、前記第１接続端子と、第２の係止孔と、前記第２接続端子と、第３の係止孔とがこの順序で配置され、
前記キャップは、
前記第２の係止孔に差し込んで前記第２の係止孔を中心にして当該キャップが回転可能であり、当該キャップが前記キャップ取り付け部に取り付けられて前記接続端子を保護する最終取り付け位置では前記第２の係止孔に係止され、最終取り付け位置から回転した位置では前記第２の係止孔から取り外すことができる第２の係止爪と、
前記最終取り付け位置で前記第１の係止孔と係止する第１の係止爪と、
前記最終取り付け位置で前記第３の係止孔と係止する第３の係止爪とを
具備することを特徴とする電子機器。
【発明の詳細な説明】
【技術分野】
【０００１】
本発明は、接続端子を保護するためのキャップを備えた携帯電話機などの電子機器に関する。
【背景技術】
【０００２】
外部接続端子を保護するためのキャップを係脱自在に備えた電子機器がある（例えば、特許文献１参照。）。この電子機器では、キャップ(２)の抜け止め部(25)が筐体(１)側の取付孔(13)に係脱可能に係合する。筐体側の取付孔(13)は長い長孔の形状であり、一方のキャップ(２)の抜け止め部(25)も長い形状を呈している。
【０００３】
そして、キャップ(２)が外部接続端子(12)部分を閉塞して保護する第１回動姿勢（特許文献１の図５）では、抜け止め部(25)の長い形状と取付孔(13)の長孔の長手方向が直交して大きな抗力となり、抜けないようになっている。また、外部接続端子(12)に外部のパーソナルコンピュータなどからコネクタで連結する場合には、キャップ(２)を上記第１回動姿勢から時計方向に９０度回転させて外部接続端子(12)部分を開口させた第２回動姿勢（特許文献１の図７）で行う。この第２回動姿勢では、抜け止め部(25)の長い形状と取付孔(13)の長孔の長手方向が一致しており、小さな抗力はあるが係脱可能になっている。
【特許文献１】特開２００６−１１４３００号公報（第５〜６頁、図１〜図８）
【発明の開示】
【発明が解決しようとする課題】
【０００４】
本来、キャップを電子機器の筐体から係脱自在にする目的は、キャップが壊れてしまった場合などに取替える保守用を意図している。その目的のためには、特許文献１の第２回動姿勢は、楽に係脱可能と言える。しかし、この第２回動姿勢は、ユーザが外部接続端子(12)に外部のパーソナルコンピュータなどからコネクタで連結する場合の状態でもある。従って、この場合に、意図せずに、キャップが外れてしまい、更には紛失してしまうおそれもある。
【０００５】
本発明は、上記の問題点を解決するためになされたもので、キャップを閉じた状態や、外部装置と接続するためにキャップを開いてコネクタを連結する状態、すなわち、ユーザの通常の使用状態においては、キャップが外れてしまうことを防止する。また、キャップが壊れて取替えを行うときなどの保守用には、交換が容易な構造の電子機器を提供することを目的とする。
【課題を解決するための手段】
【０００６】
上記目的を達成するために、本発明の電子機器は、接続端子を保護するキャップと、当該キャップが取り付けられるキャップ取り付け部を有する電子機器であって、前記キャップ取り付け部は、第１の係止孔と、前記接続端子と、第２の係止孔と、第３の係止孔とがこの順序で配置され、前記キャップは、前記第２の係止孔に差し込んで前記第２の係止孔を中心にして当該キャップが回転可能であり、当該キャップが前記キャップ取り付け部に取り付けられて前記接続端子を保護する最終取り付け位置では前記第２の係止孔に係止され、最終取り付け位置から回転した位置では前記第２の係止孔から取り外すことができる第２の係止爪と、前記最終取り付け位置で前記第１の係止孔と係合する第１の係止爪と、前記最終取り付け位置で前記第３の係止孔と係合する第３の係止爪とを具備することを特徴とする。
【発明の効果】
【０００７】
本発明によれば、キャップを閉じた状態や、外部装置と接続するためにキャップを開いてコネクタを連結する状態、すなわち、ユーザの通常の使用状態においては、キャップが外れてしまうことが防止できる。また、キャップが壊れて取替えを行うときなどの保守用には、交換が容易である。
【発明を実施するための最良の形態】
【０００８】
以下、本発明の実施例を、図面を参照して説明する。
【実施例１】
【０００９】
図１は、本発明の実施例１に係る電子機器の外観斜視図であり、（ａ）は電子機器の本体端部の斜視図でキャップを取り外した状態、（ｂ）はキャップの表側の斜視図、（ｃ）はキャップの裏側の斜視図である。
【００１０】
（ａ）（電子機器の本体側）
電子機器１００は、ヒンジ部１により筐体が開閉自在な構造である。このヒンジ部１のある下端部にキャップ取付け部２（太い実線で示したエリア内）がある。キャップ取付け部２には、略同一方向に、第１係合孔３、接続端子４、第２係合孔５、第３係合孔６の順序で配置される。接続端子４は、外部接続用の端子であり、キャップ７により保護される。第１係合孔３、第２係合孔５、第３係合孔６は、キャップ７取り付け用の孔である。
【００１１】
（ｂ）（ｃ）（キャップ）
キャップ７は、ゴムなどの弾性体の材質でできている。キャップ７は、第１係合爪８、肉薄部９、第２係合爪１０、第３係合爪１１などを有する。  
第１係合爪８は、先端に戻り止めのある形状であり、第１係合孔３に係合される。第３係合爪１１は、真中部分が空洞の矢尻形状であり、第３係合孔６に圧入される。
【００１２】
第２係合爪１０は、Ｔ字形状で、根元１０ａが細く、頂部１０ｂが横長の形状である。この頂部１０ｂの長手方向を、第２係合孔５の長孔の長手方向に合わせて奥まで挿入すると、根元１０ａ部分を中心にしてキャップ７は回転可能となる。そして、回転して、頂部１０ｂの長手方向と第２係合孔５の長孔の長手方向が直交する位置では、抜けない状態となる。
【００１３】
すなわち、この部分の寸法については、根元１０ａの太さは、第２係合孔５の狭い部分の幅よりも小さい。頂部１０ｂの横長部分の寸法は、第２係合孔５の広い部分の幅よりも小さく、また、第２係合孔５の狭い部分の幅よりも大きい。
【００１４】
肉薄部９は、キャップ７の厚さに比べて若干薄くなっており、キャップ７の全体に比べて、さらに折り曲げ易くなっている。
【００１５】
（キャップの取付け）
次に、キャップ７をキャップ取付け部２に取り付ける手順について説明する。キャップ７は（ｂ）の方向の状態では、頂部１０ｂの長手方向と（ａ）の第２係合孔５の長孔の長手方向が一致しており、この状態で第２係合爪１０を第２係合孔５に根元１０ａまで挿入する。
【００１６】
そして、キャップ７を反時計まわりに９０度回転させて、キャップ７の全体の長手方向と、キャップ取付け部２全体の長手方向とが一致した状態となる。この状態では、頂部１０ｂの長手方向と第２係合孔５の長孔の長手方向が直交しており、抜けない状態である。そして、さらに、第３係合爪１１を第３係合孔６に圧入する。また、第１係合爪８を第１係合孔３に係合させる。これで取り付けが完了し、最終取り付け状態となる。
【００１７】
第３係合爪１１による圧入は、第１係合爪８による係合に比べて、より強い結合状態である。ただし、キャップ７の材質は、ゴムなどの弾性体であるので、第３係合爪１１は、治具などで引き抜くことは可能である。第１係合爪８による係合は、治具などがなくても、比較的簡単に引き抜くことができる状態である。
【００１８】
次に、キャップの取り付けが完了した状態について説明する。  
図２は、本発明の実施例１に係る電子機器のキャップを取り付けた状態での外観斜視図であり、（ａ）はキャップを完全に取り付けた状態、（ｂ）は端子接続時の状態、（ｃ）はキャップ交換時の状態である。
【００１９】
（ａ）（キャップを取り付けた状態）
この状態は、電子機器１００を外部装置に接続しない場合であり、一般に、ユーザによる電子機器１００の通常の使用状態である。この状態では、図１で説明したように、キャップ７は、第１係合爪８、第２係合爪１０、第３係合爪１１、により、キャップ取り付け部２にしっかりと取り付けられている。第２係合爪１０の頂部１０ｂの長手方向と第２係合孔５の長孔の長手方向は、直交しており、抜けない状態である。
【００２０】
また、キャップ７とキャップ取り付け部２の間には、隙間１２が設けられている。これは、ユーザが、自分の指の爪などをこの隙間１２に差し込んで、キャップ７の第１係合爪８の部分の係合を外すためのものである。
【００２１】
（ｂ）（端子接続時の状態）
この状態は、ユーザが電子機器１００を外部装置に接続する場合である。第２係合爪１０部分は、第２係合爪１０の頂部１０ｂの長手方向と第２係合孔５の長孔の長手方向が直交しており、抜けない状態である。また、第３係合爪１１部分は、圧入されて抜けない状態であり、これにより、第２係合爪１０部分の回転も抑止しているので、第２係合爪１０の頂部１０ｂの長手方向と第２係合孔５の長孔の長手方向の直交状態が維持されている。
【００２２】
ユーザは、隙間１２に自分の指の爪などを差し込んで、キャップ７の第１係合爪８の部分の係合を外し、キャップ７を折り曲げると、第２係合爪１０の手前で折り曲げられる。そして、接続端子４に、ハーネスのコネクタ（図示せず）を接続する。
【００２３】
このように、ユーザが電子機器１００を外部装置に接続する場合において、キャップ７が容易に電子機器の本体から外れてしまうことを防ぐことができる。
【００２４】
（ｃ）（キャップ交換時の状態）
この状態は、キャップ７が損傷して交換するなどの保守作業の場合である。保守者やユーザは、キャップ７の第１係合爪８の部分の係合を外す。また、第３係合爪１１部分に治具などを差し込んで、第３係合孔６から引き抜く。この状態において第２係合爪１０部分の回転が可能となるので、キャップ７を時計方向または反時計方向に９０度回転させて、第２係合爪１０を第２係合孔５から引き抜く。そして、新しいキャップ７を、図１で説明した手順で取り付ける。
【００２５】
なお、実施例１において、第２係合孔５を長孔とし、第２係合爪１０はＴ字形状としたが、これに限らず、キャップ７とキャップ取付け部２の最終装着位置で抜けない状態になり、この最終装着位置から回転した位置で抜ける状態になるものであれば何でも良い。例えば、カンヌキ状のものなどであってもよい。
【００２６】
また、第３係合爪１１は、ユーザの通常の使用状態では抜き差しは行わないため、第１係合爪８による係合に比べて、より強い結合状態のものとしたが、第１係合爪８と同等の結合状態の係合爪としてもよい。  
また、第３係合爪１１部分の配置は、他の係合部分と略同一線状に並ぶ必要はなくて、端子接続時にキャップ７を折り曲げた時に、折り曲げの妨げにならない位置であればよい。また、第３係合爪１１部分を回転可能とし、第２係合爪１０部分を圧入する構造にしてもよい。
【００２７】
また、第１係合爪８は、先端に戻り止めのある形状で、第1係合孔３に差し込んで係合したが、第1係合孔３を設けない係合方法であってもよい。例えば、第１係合爪８の替わりに、キャップ７の外縁部に突起を設けて、キャップ取り付け部２の内枠部分に摩擦や圧入で止める構造であってもよい。
【００２８】
実施例１によれば、キャップを閉じた状態や、外部装置と接続するためにキャップを開いてコネクタを連結する状態、すなわち、ユーザの通常の使用状態においては、キャップが外れてしまうことを防止できる。また、キャップが壊れて取替えを行うときなどの保守用には、交換が容易となる。
【実施例２】
【００２９】
図３は、本発明の実施例２に係る電子機器の外観斜視図であり、（ａ）は電子機器の本体端部の斜視図でキャップを取り外した状態、（ｂ）はキャップの表側の斜視図、（ｃ）はキャップの裏側の斜視図である。実施例１との相違点は、電子機器１００の端部に２個の接続端子を設けた場合のキャップの取り付け構造である。
【００３０】
（ａ）（電子機器の本体側）
電子機器１００は、実施例１とは異なる別の広い端部にキャップ取付け部２０（太い実線で示したエリア内）がある。キャップ取付け部２０には、略同一方向に、第１係合孔２１、第１接続端子２２、第２係合孔２３、第２接続端子２４、第３係合孔２５の順序で配置される。第１接続端子２２、第２接続端子２４は、外部接続用の端子であり、キャップ２６により保護される。第１係合孔２１、第２係合孔２３、第３係合孔２５は、キャップ２６取り付け用の孔である。
【００３１】
（ｂ）（ｃ）（キャップ）
キャップ２６は、ゴムなどの弾性体の材質でできている。キャップ２６は、第１系合爪２７、第１肉薄部２８、第２係合爪２９、第２肉薄部３０、第３係合爪３１などを有する。  
第１系合爪２７および第３係合爪３１は、図１の第１系合爪８と同様に、先端に戻り止めのある形状である。第１肉薄部２８および第２肉薄部３０は、図１の肉薄部９と同様に、キャップ２６の厚さに比べて若干薄くなっており、キャップ２６の全体に比べて、さらに折り曲げ易くなっている。
【００３２】
第２係合爪２９は、図１の第２係合爪１０と同様にＴ字形状である。第２係合爪２９の各部寸法と第２係合孔２３の各部寸法との関係は図１と同様である。第２係合爪２９は、第２係合孔２３に挿入されて、根元２９ａ部分を中心にしてキャップ２６は回転可能となる。
【００３３】
（キャップの取付け）
次に、キャップ２６をキャップ取付け部２０に取り付ける手順について説明する。キャップ２６を（ｂ）の状態で、第２係合爪２９を第２係合孔２３に根元２９ａまで挿入する。そして、キャップ２６を反時計まわりに９０度回転させて、キャップ２６の全体の長手方向と、キャップ取付け部２０全体の長手方向とが一致した状態となる。
【００３４】
そして、さらに、第１系合爪２７を第１係合孔２１に係合させる。また、第３係合爪３１を第３係合孔２５に係合させる。これで取り付けが完了する。取り付けが完了した状態は図示しないが、第１系合爪２７、第２係合爪２９、第３係合爪３１により、キャップ取り付け部２０にしっかりと取り付けられている。また、第１係合孔２１と第３係合孔２５の下部には、図示しないが、図２と同様に、隙間が設けられる。
【００３５】
（端子接続時）
ユーザは、電子機器１００の第１接続端子２２で外部装置に接続する場合は、第１係合爪２７の部分の隙間に自分の指の爪などを差し込んで、第１係合爪２７の部分の係合を外し、第１接続端子２２にハーネスのコネクタ（図示せず）を接続する。
【００３６】
この状態においては、第２係合爪２９部分は、第２係合爪２９の頂部２９ｂの長手方向と第２係合孔２３の長孔の長手方向が直交しており、抜けない状態である。また、接続されない第２接続端子２４側の第３係合爪２５部分は、係合して抜けない状態であり、これにより、第２係合爪２９部分の回転も抑止しているので、第２係合爪２９の頂部２９ｂの長手方向と第２係合孔２３の長孔の長手方向の直交状態を維持している。したがって、第１接続端子２２を接続した状態において、キャップ２６が容易に電子機器の本体から外れてしまうことを防ぐことができる。
【００３７】
次に、電子機器１００の第２接続端子２４を接続する場合について説明する。ユーザは、第３係合爪３１の部分の隙間に自分の指の爪などを差し込んで、第３係合爪３１の部分の係合を外し、第２接続端子２４にハーネスのコネクタ（図示せず）を接続する。
【００３８】
この状態においては、第２係合爪２９部分は、第２係合爪２９の頂部２９ｂの長手方向と第２係合孔２３の長孔の長手方向が直交しており、抜けない状態である。また、接続されない第１接続端子２２側の第１係合爪２７部分は、係合して抜けない状態であり、これにより、第２係合爪２９部分の回転も抑止しているので、第２係合爪２９の頂部２９ｂの長手方向と第２係合孔２３の長孔の長手方向の直交状態を維持している。したがって、第２接続端子２４を接続した状態において、キャップ２６が容易に電子機器の本体から外れてしまうことを防ぐことができる。  
このように、接続する接続端子側と反対側の係合部分がキャップの回転も抑止している。
【００３９】
（キャップ交換）
キャップ２６が損傷して交換するなどの保守作業の場合は、キャップ２６の第１係合爪２７の部分および第３係合爪３１の部分の係合を外す。そして、キャップ２６を９０度回転させて、第２係合爪２９を第２係合孔２３から引き抜く。そして、新しいキャップ２６を取り付ける。
【００４０】
なお、実施例２において、第２係合孔２３を長孔とし、第２係合爪２９はＴ字形状としたが、これに限らず、キャップ２６とキャップ取付け部２０の最終装着位置で抜けない状態になり、この最終装着位置から回転した位置で抜ける状態になるものであれば何でも良い。例えば、カンヌキ状のものなどであってもよい。
【００４１】
また、第１係合孔２１、第１接続端子２２、第２係合孔２３、第２接続端子２４、第３係合孔２５の配置は、略同一線状に並ぶ必要はない。例えば、第１係合孔２１、第１接続端子２２、第２係合孔２３が略同一線状に並び、これとは方向を変えて、第２係合孔２３、第２接続端子２４、第３係合孔２５が略同一線状に並んでもよい。すなわち、端子接続時にキャップ２６を折り曲げた時に、折り曲げの妨げにならない位置であればよい。
【００４２】
実施例２によれば、キャップを閉じた状態はもちろん、端子接続時においては接続する端子側と反対側の係合部分がキャップの回転も抑止しているので、キャップが外れてしまうことを防止できる。また、キャップが壊れて取替えを行うときなどの保守用には、交換が容易となる。  
なお、各実施例の電子機器は、携帯電話機やＰＨＳやＰＤＡなどに適用できる。
【図面の簡単な説明】
【００４３】
【図１】本発明の実施例１に係る電子機器の外観斜視図。
【図２】本発明の実施例１に係る電子機器のキャップを取り付けた状態での外観斜視図。
【図３】本発明の実施例２に係る電子機器の外観斜視図。
【符号の説明】
【００４４】
１  ヒンジ部
２  キャップ取付け部
３  第１係合孔
４  接続端子
５  第２係合孔
６  第３係合孔
７  キャップ
８  第１係合爪
９  肉薄部
１０  第２係合爪
１０ａ  根元
１０ｂ  頂部
１１  第３係合爪
１２  隙間
２０  キャップ取付け部
２１  第１係合孔
２２  第１接続端子
２３  第２係合孔
２４  第２接続端子
２５  第３係合孔
２６  キャップ
２７  第１系合爪
２８  第１肉薄部
２９  第２係合爪
２９ａ  根元
２９ｂ  頂部
３０  第２肉薄部
３１  第３係合爪
１００  電子機器
【図１】
2008198428.tif 000003
【図２】
2008198428.tif 000004
【図３】
2008198428.tif 000005